(57)【要約】【課題】子供の乗車空間を確保するとともに、突然の降雨でも簡易迅速に使用することができ、利便性と安全性の高い子供乗せ籠用カバーを提供する。【解決手段】子供乗せ籠用カバー１は、籠の上部を覆う覆い２と、籠の前面を覆う前カバー３とを備えている。覆い２と前カバー３とは、前カバー３の上部で接続されている。覆い２は、全体が透明なビニル素材からなるシート部２０を備え、開いた状態においては、覆い２の下部中央部分の固定部２２が設けられた位置を中心として支持部２１により支えられて半円放射状のドーム型に広がる。【選択図】図１
2007314043.tif 000002
【特許請求の範囲】
【請求項１】
自転車に用いる子供乗せ籠に取り付けて使用する子供乗せ籠用カバーであって、
略ドーム型の覆いと、この覆いを子供乗せ籠に着脱自在に固定する固定部とを備え、
前記覆いは、防水素材又は紫外線を遮蔽する素材からなるシート部と、前記シート部を略ドーム型に支持する複数本の棒状の支持部とを備え、前記複数本の支持部は両端部をそれぞれ束ねられるようにして放射状に配置され、この複数本の支持部に対して前記シート部が固定され、
前記固定部は、前記覆いの底部でこの覆いを子供乗せ籠に固定するものであることを特徴とする子供乗せ籠用カバー。
【請求項２】
前記固定部は、前記放射状配置された支持部を束ねた位置で前記覆いを子供乗せ籠に固定する一対の第１固定部と、
この一対の第１固定部を繋ぐように前記覆いの底部に沿って設けられ伸縮性ある線状部材を備えた第２固定部とからなることを特徴とする請求項１記載の子供乗せ籠用カバー。
【請求項３】
前記覆いには、その底部に略方形で防水性を有する前カバーが設けられ、
この前カバーは、前記第２固定部を前記覆いとの接続部分としていることを特徴とする請求項２記載の子供乗せ籠用カバー。
【請求項４】
前記覆いには、その底部に略方形で防水性を有する前カバーが設けられていることを特徴とする請求項１又は２のいずれか１項に記載の子供乗せ籠用カバー。
【請求項５】
前記前カバーは、袋状の足カバーを備え、
この足カバーは前記前カバーの中央部分に水平方向に横断して設けられた収納口から収納されるように取り付けられていることを特徴とする請求項３又は４記載の子供乗せ籠用カバー。
【請求項６】
前記シート部は、透明な素材からなることを特徴とする請求項１乃至５のいずれか１項に記載の子供乗せ籠用カバー。
【請求項７】
前記シート部の少なくとも一部には、通気口が設けられていることを特徴とする請求項１乃至６のいずれか１項に記載の子供乗せ籠用カバー。
【発明の詳細な説明】
【技術分野】
【０００１】
本発明は、いわゆる子供乗せ自転車の籠に用いるものであって、内部に子供の乗車スペースを確保した子供乗せ籠を覆う子供乗せ籠用カバーに関する。
【背景技術】
【０００２】
従来より、自転車の前籠に子供を乗せるシートを形成した子供乗せ籠を取り付けたいわゆる子供乗せ自転車が知られている。このような子供乗せ自転車に取り付ける子供乗せ籠は、籠内部にクッションを設けたり、背もたれや足置きを設けたりして、子供が安全、快適に乗車できる工夫がなされている（特許文献１）。
【０００３】
このような従来の子供乗せ籠は上部が開口しており、籠上部に覆いが設けられていないため、例えば、自転車乗車中に降雨があった場合には、乗車している子供が雨に晒されることとなる。そこで、子供乗せ籠の背もたれ部分から側面部分に設けられた保護クッションの中に合羽を収納し、降雨時には、収納された合羽を取り出して、子供に被せて雨を除ける子供乗せ籠用カバーが提案されている（特許文献２）。
【特許文献１】特開２００５−８２０７２公報
【特許文献１】特開２００４−１７５３２６公報
【発明の開示】
【発明が解決しようとする課題】
【０００４】
しかしながら、上記のような従来の子供乗せ籠用カバーは、子供乗せ籠のクッション部分に収納されるものであるため、使用に際してはクッションから取り出し、合羽の裾の部分をファスナーで籠に固定し、通常の雨合羽のように子供に被せて合羽の前側をボタンで閉じる、という手順を踏む必要がある。そのため、使用するまでに時間と手間を要していた。また、使用後は、再び折り畳んで子供乗せ籠に取り付けたクッションに収納しなければならず、利便性に課題があった。
【０００５】
また、近年、日焼けや長期的にも皮膚ガンの発症など紫外線による健康被害に対する関心が高く、特に、抵抗力の弱い幼児や児童では紫外線に対する正しい対策をとることが必要とされている。しかしながら、従来の子供乗せ籠用カバーでは、このような紫外線に対する対策は考えられていなかった。
【０００６】
本発明は、上記のような従来技術の問題点を解決するために提案されたものであり、その目的は、子供の乗車空間を確保するとともに、突然の降雨でも簡易迅速に使用することができ、利便性と安全性の高い子供乗せ籠用カバーを提供することにある。
【課題を解決するための手段】
【０００７】
上記の目的を達成するため、請求項１の発明は、自転車に用いる子供乗せ籠に取り付けて使用する子供乗せ籠用カバーであって、略ドーム型の覆いと、この覆いを子供乗せ籠に着脱自在に固定する固定部とを備え、前記覆いは、防水素材又は紫外線を遮蔽する素材からなるシート部と、前記シート部を略ドーム型に支持する複数本の棒状の支持部とを備え、前記複数本の支持部は両端部をそれぞれ束ねられるようにして放射状に配置され、この複数本の支持部に対して前記シート部が固定され、前記固定部は、前記覆いの底部でこの覆いを子供乗せ籠に固定するものであることを特徴とする。
【０００８】
以上のような態様では、子供乗せ自転車の子供乗せ籠に対して、着脱可能なドーム型の透明な雨除けを備えたカバーを提供することができる。また、覆いがドーム型に形成されることにより、籠内での子供の乗車空間を十分に確保することができる。なお、本発明におけるドーム型といった場合、半球形をなした屋根あるいは天井型のみを指し示すのではなく、例えば、断面が台形や方形となるような場合も含むものであり、子供が乗車できるある程度の高さを持って子供乗せ籠の上部を覆う立体を形成した屋根を指し示すものである。
【０００９】
また、ドーム型の覆いは、シート部と、端部が束ねられるようにして放射状に配置され、このシート部のドーム形状を維持複数本の支持部とから構成されるため、支持部の束ねられた端部を中心として、籠に取り付けた状態でも折り畳むことができる。これにより、子供乗せ籠用カバーを子供乗せ籠に取り付けた状態で、不使用時には覆いを折り畳んでおき、雨が降り出した場合には、覆いを広げることができるなど簡易な使用が可能である。また、装着したままで覆いの開閉ができるので、子供を籠に乗せたり降ろしたりすることを容易に行うことができるなど、非常に利便性が高い。
【００１０】
さらに、覆いを構成するシート部は、防水素材又は紫外線を遮蔽する素材からなるため、降雨時には雨除けとして作用し、降雨時以外でも覆いを広げておくことによって乗車する子供を紫外線の照射から防ぐことが可能で紫外線対策にも資する。
【００１１】
請求項２の発明は、請求項１記載の発明において、前記固定部は、前記放射状配置された支持部を束ねた位置で前記覆いを子供乗せ籠に固定する一対の第１固定部と、この一対の第１固定部を繋ぐように前記覆いの底部に沿って設けられ伸縮性ある線状部材を備えた第２固定部とからなることを特徴とする。
【００１２】
以上のような態様では、子供乗せ籠に対する子供乗せ籠用カバーの取り付けは、第１固定部により、例えば、子供乗せ籠の左右中心に位置する自転車のハンドルポストに固定し、この第１固定部を繋ぐように覆いの底部に沿って設けられ、合成ゴム等の伸縮性ある線状部材からなる第２固定部により、籠の前面部分に固定することが可能である。このように第２固定部を伸縮性ある線状の部材により構成することによって、籠の大きさに制限されることなく、さまざまな大きさの籠に自在に取り付けることが可能となる。
【００１３】
請求項３の発明は、請求項２記載の発明において、前記覆いには、その底部に略方形で防水性を有する前カバーが設けられ、前記前カバーは、前記第２固定部を前記覆いとの接続部分としていることを特徴とする。
【００１４】
以上のような態様では、前記前カバーが、第２固定部を前記覆いとの接続部分とすることによって、子供乗せ籠に対して前カバーをこの第２の固定部により固定することが可能となる。
【００１５】
請求項４の発明は、請求項１又は２に記載の発明において、前記覆いには、その底部に袋状で防水性を有する前カバーが設けられていることを特徴とする。
【００１６】
以上のような態様では、本発明の子供乗せ籠用カバーを子供乗せ籠に取り付ける際に、袋状の前カバーを籠の進行方向前側に位置させ、籠の前側を覆うように取り付けることによって、自転車の進行による前方向からの雨を除けることが可能となる。また、覆いと前カバーとが一体に設けられることにより、覆いと前カバーとの２つを同時に着脱することができ、利便性が高い。なお、ここでいう袋状とは、子供乗せ籠の一部を袋状に包んで覆う、との意であり、それを展開した形状は方形であっても、円形であってもよい。
【００１７】
請求項５の発明は、請求項３又は４の発明において、前記前カバーには、袋状の足カバーが取り付けられ、この足カバーは前記前カバーの中央部分に水平方向に横断して設けられた収納口から収納されるように取り付けられていることを特徴とする。
【００１８】
以上のような態様では、従来の子供乗せ籠において、籠の前側を形成する部材が前方に開閉して機能する足乗せが設けられているが、前カバーに袋状の足カバーを取り付けることによって、足乗せを前方に倒した場合でも、袋状の足カバーを収納口から取り出し、足乗せの形状に合わせてカバーを前方に突出させることができる。これにより、子供乗せ籠用カバーの取付時でも従来の子供乗せ籠に設けられた足乗せを使用することができるとともに、乗車する子供の足元が降雨によって濡れるのを防止することができる。
【００１９】
請求項６の発明は、請求項１乃至５のいずれか１項に記載の発明において、前記シート部は、透明な素材からなることを特徴とする。
【００２０】
以上のような態様では、覆いを構成するシート部が透明な素材からなるため、自転車の運転者から籠に乗せた子供の様子がわかり、自転車の運転者の視界も確保することができる。
【００２１】
請求項７の発明は、請求項１乃至６のいずれか１項に記載の発明において、前記シート部の少なくとも一部には、通気口が設けられていることを特徴とする。
【００２２】
以上のような態様では、シート部の少なくとも一部に、例えばメッシュ状の通気口が設けられていることによって、覆いを使用した場合であっても、外部空気と内部空気との交換や内外の湿度調節が可能である。
【発明の効果】
【００２３】
本発明によれば、子供の乗車空間を確保するとともに、突然の降雨でも簡易迅速に使用することができ、利便性と安全性の高い子供乗せ籠用カバーを提供することができる。
【発明を実施するための最良の形態】
【００２４】
次に、本発明を実施するための最良の形態を、図１乃至図３を参照して説明する。
【００２５】
（１）本実施形態
（１−１）構成
本実施形態の子供乗せ籠用カバー１は、子供乗せ自転車に用いられる子供乗せ籠に取り付けた場合に、その籠の上部を覆う覆い２と、籠の前面を覆う前カバー３とからなる。覆い２と前カバー３とは、前カバー３の上部で接続されている。
【００２６】
［覆いの構成］
覆い２は、全体が透明なビニル素材からなるシート部２０を備え、開いた状態においては、覆い２の下部中央部分の固定部２２が設けられた位置を中心として半円放射状のドーム型に広がるようになっている。このドーム型を支持するのが複数の支持部２１（ここでは、６本。図中には点線で示す。）である。
【００２７】
シート部２０は、可視光に対して透過性のあるビニル素材からなる。また、シート部２０の一部、すなわち、子供乗せ籠Ｂ（以下、「籠Ｂ」ともいう）に子供乗せ籠用カバー１を取り付けた場合に自転車の運転者側となる進行方向最後部に位置する支持部２１ａと籠Ｂに対して覆いを固定する後側固定部２５との間の部分は、籠Ｂ内に設けられたシートの背もたれと接することとなる。そのため、籠Ｂとの接触や乗車する子供と接することがあり、ビニル素材から構成したのでは強度が耐えられないことがある。
【００２８】
そこで、本実施形態では、支持部２１ａと後側固定部２５との間の部分は、支持部２１との縫い合わせに用いているのと同種の生地からなる布部２４を設けている。また、固定部２５には、その内側に例えば、紐ゴムなどの伸縮性を有する紐状の部材が備えられていて、固定部２５を子供乗せ籠の進行方向最後部の一辺に当接させた際に、その籠の辺の形状にフィットするようになっている。
【００２９】
また、シート部２０の他の一部、すなわち、支持部２１ｅと２１ｆとの間には、左右に通気口Ｖが設けられ、覆い２を使用した場合の内部空気との交換や内外の湿度調節を可能としている。また、籠Ｂに子供乗せ籠用カバー１を取り付けた場合に自転車の運転者側と反対の進行方向最前部に位置する部分は、後述する前カバー３との接続部３１を形成している。
【００３０】
なお、シート部２０は、上述のように、可視光に対して透過性のあるビニル素材からなるが、このシート部２０には紫外線の透過を防止する機能を持たせることも可能である。また、上記の通気口の数は任意であり、降雨による濡れを防げる程度において増減させることは可能である。
【００３１】
ここで、本実施形態においては、覆い２のシート部２０への取り付けに際して、支持部２１を縁布２３でその周囲を覆い、この縁布２３とシート部２０とを重ねて縫い合わせているが、これは、ビニル素材のシート部２０に対して支持部２１を直接的に縫い付けた場合には、シート部２０の強度不足により、シート部２０の破れや縫い合わせた部分の防水性の低下や破損を防止するためである。ただし、本発明の子供乗せ籠用カバーでは、このような縫い合わせの態様に限らず、例えば、支持部２１をシート部２０に対して熱圧着して取り付けることも可能である。
【００３２】
支持部２１は、針金やプラスティック等の可塑性を有する素材からなる棒状体で、アーチ状に湾曲している。支持部２１ａ〜ｆは、覆い２に対して、固定部２２を中心としてそこから放射状等間隔に設けられている。このように、略アーチ状に湾曲した複数の支持部２１が固定部２２を中心にして端部が束ねられ、覆い２に対して等間隔に配置されていることにより、覆い２は支持部２１によりドーム型を形成するようになっている。
【００３３】
固定部２２は、上述の通り、放射状に設けられた支持部２１の中心で、支持部２１の端部を束ねる位置に設けられ、子供乗せ籠用カバー１を籠Ｂに取り付けた場合に、籠Ｂの前後方向真ん中に位置する。
【００３４】
ここで、子供乗せ自転車において、子供乗せ籠Ｂはそれ相応の重量の子供を乗せるため、自転車の運転者が左右前後のバランスを取り易いように、前輪の上下軸に対して、籠の重心が位置するように設けられている。また、同様の理由からハンドルポストもおおよそ同位置に設けられていることから、左右のハンドルのポストは、籠Ｂの前後方向真ん中に位置するようになっている。
【００３５】
そこで、固定部２２は、この子供乗せ籠Ｂの左右中心に位置するハンドルポストに固定することによって覆い２を子供乗せ籠に固定するものである。より具体的には、固定部２２は、面ファスナー２２ａにより貼着するフラップ２２ｂを備え、このフラップ２２ｂがハンドルポストＰに巻き付くことによって、覆い２を子供乗せ籠Ｂに固定するようになっている。
【００３６】
なお、この固定部２２の具体的な構成は、覆い２の前後中心位置を左右からハンドルポストＰに固定することができるものであれば、公知のあらゆる固定部材を採用可能であり、特に面ファスナーに代えて、カバー１と籠Ｂとに雌雄いずれかのボタンを取り付けたり、固定部２２に代えて図４に示すように籠Ｂを挟むように固定するフックを設け、籠Ｂに直接固定するなど、目的や利便性にあわせて適宜変更可能である。
【００３７】
例えば、自転車によっては、ハンドルポストＰの周囲に変速機が設けられたり、補助動力自転車の操作板が設けられているものがあり、ハンドルポストＰにフラップを巻きつけて固定するのが難しいものもあり、そのような場合には、籠Ｂにボタンやフックにより直接固定するようにしたほうが適している。
【００３８】
また、ハンドルポストＰへ取り付けることにより、子供乗せ籠Ｂに対する覆い２の位置精度が高まるが、これに限らず、フラップを子供乗せ籠Ｂに設けられたメッシュ状の溝に巻きつけることにより構成することも可能である。
【００３９】
［前カバーの構成］
前カバー３は、子供乗せ籠Ｂの進行方向前側を覆うものであって、全体が防水性の生地からなり、図２（ａ）のその正面図を、同図（ｂ）にその裏面図を示すように、籠Ｂの前側を覆うように袋状をなす。なお、ここでいう袋状とは、子供乗せ籠の一部を袋状に包んで覆う、との意であり、それを展開した形状は方形であっても、円形であってもよい。
【００４０】
この前カバー３は、図３に示すように、覆い２との接続部３１と、前カバー３の中央部分に水平方向に設けられたファスナー３２と、ファスナー３２により内部に収納される足カバー３３と、前カバー３の縁全体又は底部に取り付けられた合成ゴム等の伸縮性ある紐状部材Ｓ１，Ｓ２及びＳ３により子供乗せ籠Ｂに対して取り付ける前カバー固定部３５とからなる。
【００４１】
より具体的には、紐状部材Ｓ１は、長さ調節可能にして前カバー３の前側固定部３４を縁取るように取り付けられている。この紐状部材Ｓ１は、図２（ｂ）に示すように、本実施形態では後側固定部２５の固定具の役割も兼ねている。すなわち、この前側固定部３４と後側固定部２５に対して取り付けられた紐状部材Ｓ１は輪を形成し、この輪が籠Ｂの開口部外周に沿って取り付けられることにより、子供乗せ籠用カバー１を籠Ｂに固定するこようになっている。この際、紐状部材の長さを留具Ｆ１によって調節することによって、さまざまな大きさの籠に対応することができるように構成されている。なお、上記のように前側固定部３４と後側固定部２５における紐状部材を輪を形成するように共通のものとせず、これを別々に設けることも可能である。
【００４２】
また、紐状部材Ｓ２は、前カバー固定部３５を縁取るように設けられており、前カバー３を子供乗せ籠Ｂの前側から側面側に向けて覆うように取り付けた場合に、籠Ｂの前側から側面及び底面に接して、籠Ｂの前側を挟むようにして前カバー３を固定するようになっている。
【００４３】
さらに、紐状部材Ｓ３は、前カバー３を籠Ｂの底面部に対して固定するものであって、前カバー３の底面側に略方形状に取り付けられている。この紐状部材Ｓ３も、その長さを留具Ｆ２によって調節することが可能であり、これによりさまざまな大きさの籠に対応することができるように構成されている。
【００４４】
接続部３１は、上述のとおり、子供乗せ籠Ｂに子供乗せ籠用カバー１を取り付けた場合に自転車の運転者側と反対の進行方向最前部の位置において、覆い２の一部を構成する部分と前カバー３との接続部分を形成している。
【００４５】
ファスナー３２は、図２に示すように、袋状の足カバー３３を収納するためのものであり、ファスナー３２の内側、すなわち、本実施形態のカバー１を籠Ｂに取り付けた際における籠Ｂ側に、袋状の足カバー３３が設けられており、ファスナー３２を開くことにより、図３に示すように、この袋状の足カバー３３を外側に突出させるようになっている。
【００４６】
ここで、従来の子供乗せ籠Ｂでは、上記特許文献１の図１又は図２に開示されているとおり、子供乗せ籠Ｂの前側を形成する部材が前方に開閉し、足乗せとして機能するようになっている。そこで、本実施形態の前カバー３では、このような足乗せに対応するため、上記のファスナー３２を前カバー３の足乗せが開閉する位置に設け、ファスナー３２を開き、足乗せを前方に倒した場合でも、袋状の足カバー３３がその形状に対応して前方に突出するようになっている。
【００４７】
（１−２）作用効果
以上のような構成からなる本実施形態の子供乗せ籠用カバー１は次の通り作用する。
［取付状態−不使用時］
図１に本実施形態の子供乗せ籠用カバー１の取付状態を示す。同図（ｂ）に示すように、子供乗せ自転車に取り付けられた子供乗せ籠Ｂに対して、進行方向前方より、前カバー３が籠Ｂ前面を覆うように被せる。次に、固定部２２を両ハンドルのハンドルポストＰに引っ掛け、固定部２２に設けられた面ファスナー２２ａによりハンドルのハンドルポストＰに固定する。このとき、覆い２の前側固定部３４を籠Ｂの前面上方に対して籠Ｂの縁に合わせて、カバー１を籠Ｂに取り付ける。
【００４８】
一方、前カバー３は、子供乗せ籠Ｂの前側から側面側に向けて覆うように取り付け、前カバー固定部３５の紐状部材Ｓ１，Ｓ２及びＳ３の長さを調整することにより、籠Ｂの側面部と底部とにフィットして固定する。
【００４９】
なお、このような子供乗せ籠用カバー１の不使用時には、図１（ｂ）に示すように、取付状態では、覆い２は、籠Ｂの前側に折り畳まれた状態となっている。すなわち、放射状に広がった支持部２１ａ〜２１ｆが、支持部２１の端部を束ねた位置を中心として、一方に畳まれた状態となる。このとき、折り畳まれた覆い２の最上部には、図１（ｂ）のとおり、後側固定部２５が位置することとなり、この直下には、布部２４が位置する。この状態においては、例えば、後側固定部２５を前方に引っ張って、シート部２０の束を布部２４によって覆うことが可能であり、このようにすることで、シート部２０をコンパクトに束ねることができるようになる。
【００５０】
［取付状態−使用時］
次に、覆い２の使用状態を図１及び３を用いて説明する。図１（ｂ）に示すように、取付状態では、覆い２は、籠Ｂの前側に折り畳まれた状態となっている。この状態において、後側固定部２５を自転車の進行方向より後方に持ち上げて覆い２を広げ、後側固定部２５を籠Ｂにおいて自転車の進行方向後ろ側にある面に取り付ける。
【００５１】
より具体的には、後側固定部２５には、上述のとおり、その内側に前側固定部３４と共通の紐状部材Ｓ１が設けられていることから、後側固定部２５を子供乗せ籠Ｂの進行方向最後部の一辺に当接させた場合にその籠Ｂの辺の形状にフィットさせ、取り付ける。この紐状部材Ｓ１の張力により、後側固定部２５は籠Ｂの辺に固定される。なお、後側固定部２５を籠Ｂに取り付けた際に、紐状部材Ｓ１の長さを留具Ｆ１により調整することにより、前側固定部３４又は後側固定部２５の籠Ｂへの取り付け具合を調整することが可能となる。
【００５２】
［前カバーの使用時］
上述のように、子供乗せ籠Ｂの前側を形成する部材を前方に開閉し、足乗せとして機能させた場合には、本実施形態の前カバー３においては、図３に示すように、これに対応して、ファスナー３２を前カバー３の足乗せが開閉する位置に設け、ファスナー３２を開き、袋状の足カバー３３を前方に突出させる。
【００５３】
［効果］
以上のような本実施形態の子供乗せ籠用カバー１によれば、子供乗せ自転車の子供乗せ籠に対して、着脱可能なドーム型の透明な雨除けを備えたカバーを提供することができる。また、覆い２がドーム型に形成されることにより、籠Ｂ内での子供の乗車空間を十分に確保することができる。
【００５４】
また、ドーム型の覆い２は、シート部２０と、端部が束ねられるようにして放射状に配置されこのシート部２０のドーム形状を維持する複数本の支持部２１とから構成されるため、支持部２１の束ねられた端部を中心として、折り畳むことができる。これにより、子供乗せ籠用カバー１を子供乗せ籠Ｂに取り付けた状態で不使用時には覆いを折り畳んでおき、雨が降り出した場合には、覆いを広げることができる。また、装着したままで覆いの開閉ができるので、子供を籠に乗せたり降ろしたりすることを容易に行うことができる。
【００５５】
覆い２のシート部２０が透明な素材からなるため、自転車の運転者から籠に乗せた子供の様子がわかり、自転車の運転者の視界も確保することができる。また、シート部２０において、支持部２１ｅと２１ｆとの間に、左右に通気口Ｖが設けられていることによって、覆い２を使用した場合であっても、外部空気と内部空気との交換や内外の湿度調節を可能となっている。
【００５６】
子供乗せ籠用カバー１は、着脱可能であり、また、覆い２が折り畳めるように、全体を持ち運べるくらいの大きさに折り畳むことが可能である。これにより、持ち運びが可能であると共に、天気が崩れるような場合にだけ取り付け、天気が良いときには取り付けないなど、天気に応じて容易に使用することが可能である。
【００５７】
また、袋状の前カバー３を籠の進行方向前側に位置させ、籠Ｂの前側を覆うように取り付けることによって、自転車の進行による前方向からの雨を除けることが可能となる。また、覆い２と前カバー３とが接続され、一体に構成されていることから、覆いと前カバー３との２つを同時に着脱することができる。
【００５８】
子供乗せ籠Ｂに対する子供乗せ籠用カバー１の取り付けは、固定部２２により子供乗せ籠Ｂの左右中心に位置するハンドルポストに固定し、この固定部２２を繋ぐように覆い２の底部に沿って設けられ、合成ゴム等の伸縮性ある線状部材を備えた接続部３１、言い換えれば、子供乗せ籠Ｂに子供乗せ籠用カバー１を取り付けた場合に自転車の運転者側と反対の進行方向最前部の位置において覆い２と前カバー３との接続部分を形成する接続部３１によって籠Ｂの前面部分に固定することが可能である。
【００５９】
さらに、前カバー固定部３５により前カバー３の縁全体に取り付けられた合成ゴム等の伸縮性あるひも状の素材で子供乗せ籠Ｂに対してフィットさせて取り付けることができる。これにより、子供乗せ籠用カバー１は籠の大きさに制限されることなく、さまざまな大きさの籠に自在に取り付けることが可能となる。
【００６０】
本実施形態のシート部２０の一部、すなわち、籠Ｂに子供乗せ籠用カバー１を取り付けた場合に自転車の運転者側となる進行方向最後部に位置する支持部２１ａと後ろ側固定部２５との間には、籠Ｂの背もたれと接する場合があるため、この箇所に支持部２１との縫い合わせに用いているのと同様の生地を用いることにより、シート部２０が籠Ｂの背もたれ部と接して破れてしまうようなことを防止することができる。
【００６１】
また、後側固定部２５には、合成ゴム等の伸縮性ある紐状部材Ｓ１が設けられており、後側固定部２５を子供乗せ籠Ｂの進行方向最後部の一辺に当接させることにより、その籠Ｂの辺の形状にフィットして固定することが可能となる。
【００６２】
さらに、支持部２１を針金で構成した場合には、支持部２１を子供乗せ籠の大きさに合わせて曲げることもできる。籠Ｂから外した際に、適当な大きさに曲げることも可能であり、持ち運び易い大きさにすることができる。
【００６３】
また、降雨時等に覆い２を広げ、後側固定部２５を籠Ｂの縁に取り付けることによって、籠全体を覆い２によって覆うことができ、籠内に乗車している子供を雨から守ることができる。さらに、覆い２のシート部２０に紫外線を遮断するフィルタ機能を持たせることにより、降雨時以外でも、覆い２を広げることにって、乗車する子供の紫外線対策とすることもできる。
【００６４】
従来の子供乗せ籠において、籠の前側を形成する部材が前方に開閉して機能する足乗せが設けられているが、前カバー３に袋状の足カバー３３を取り付けることによって、足乗せを前方に倒した場合でも、袋状の足カバー３３を収納口から取り出し、足乗せの形状に合わせてカバー３３を前方に突出させることができる。これにより、子供乗せ籠用カバー１の取付時でも子供乗せ籠Ｂに設けられた足乗せを使用することができるとともに、乗車する子供足元を降雨によって濡れるのを防止することができる。
【００６５】
（２）他の実施形態
本発明は、上記のような実施形態に限定されるものではなく、例えば、以下のような態様により実施することも可能である。例えば、上記実施形態においては、支持部をアーチ状に構成し、覆いの形状を卵型に形成することとしているが、本発明はこのような態様に限られず、支持部の構成や支持部によって形成される覆いの形状は、籠に乗る子供の大きさや空間、又は自転車の運転者の視界を制限しない範囲において、適宜変更可能である。例えば、支持部の進行方向からの見た断面形状を台形状に形成することも可能である。また、支持部を伸縮自在に構成し、大きさを目的にあわせて変更できるように構成することも可能である。
【００６６】
また、籠への子供乗せ籠用カバーの取付方法は、上記実施形態においては、ハンドルポストに対して取り付け、他の部分、すなわち、前側固定部３４，後側固定部３５又は前カバー固定部は、合成ゴム等の伸縮性ある紐状部材により籠Ｂにフィットさせるように構成しているが、本発明ではこのこのような態様に限られない。例えば、籠Ｂにおける前側固定部３４，後側固定部３５又は前カバー固定部の当接する位置に、面ファスナーやボタンの雌雄一方を所定間隔で設置しておき、一方で前側固定部３４，後側固定部３５又は前カバー固定部のこれと一致する位置に面ファスナーやボタンの雌雄他方を取り付けることにより、籠に本発明の子供乗せ籠用カバーを固定することも可能である。
【００６７】
上記実施形態では、覆いの折り畳み方法として、籠の後部からハンドル位置を軸として前に折り畳むこととしているが、本発明ではこのような態様に限られず、例えば、進行方向後部に束ねて折り畳む態様や、束ねる位置を前後に半分ずつにして真ん中で開閉する態様も採用可能である。例えば、真ん中から半分に開く方法では、覆いを２箇所に束ねることになるので、それぞれの塊は一箇所の場合に比べて省スペースで済むなどのメリットがある。
【図面の簡単な説明】
【００６８】
【図１】本実施形態における子供乗せ籠用カバーの全体構成を示す斜視図（ａ）及び（ｂ）。
【図２】本実施形態における子供乗せ籠用カバーの前カバーの構成を示す正面図（ａ）及び裏面図（ｂ）。
【図３】本実施形態における子供乗せ籠用カバーの足カバー使用状態を示す斜視図。
【図４】本実施形態における子供乗せ籠用カバーの他の取付構造を示す概念図（ａ）及び拡大図（ｂ）。
【符号の説明】
【００６９】
１…子供乗せ籠用カバー
２…覆い
３…前カバー
２０…シート部
２１，２１ａ〜２１ｆ…支持部
２２…固定部
２２ａ…面ファスナー
２２ｂ…フラップ
２３…縁布
２４…布部
２５…後側固定部
３１…接続部
３２…ファスナー
３３…足カバー
３４…前側固定部
３５…前カバー固定部
Ｂ…子供乗せ籠
Ｆ１，Ｆ２…留具
Ｍ…溝
Ｐ…ハンドルポスト
Ｓ１，Ｓ２,Ｓ３…紐状部材
Ｖ…通気口
【図１】
2007314043.tif 000003
【図２】
2007314043.tif 000004
【図３】
2007314043.tif 000005
【図４】
2007314043.tif 000006